(57)【要約】【課題】記録されたコピー制御用の情報の秘匿性を確保する。【解決手段】ディスク原盤ＤＳに、第１データに応じて長短とされる記録マークが、第２データを所定の変調方式で変調して得たウォブル信号に応じて、その読取方向と交わる方向に変動した位置に形成されている。第１データの先頭が記録される第１開始位置より、所定値だけ離れた位置に、第２データの先頭が記録される第２開始位置が存在する。【選択図】      図２
2005025862.tif 000002
【特許請求の範囲】
【請求項１】
第１データに応じて長短とされる記録マークが、第２データを所定の変調方式で変調して得たウォブル信号に応じて、当該記録マークの読取方向と交わる方向に変動した位置に形成された情報記録媒体において、
前記第１データの先頭が記録される第１開始位置と前記第２データの先頭が記録される第２開始位置が所定値だけ離れていることを特徴とする情報記録媒体。
【請求項２】
前記第１開始位置としての先頭から、前記第１データが順に記録された記録領域を備え、
前記記録領域には、前記第１開始位置から前記所定値だけ後にずれた前記第２開始位置より前記第２データが先頭から順に記録され、前記所定値に相当する前記第２データの終了部分が前記第２開始位置の前に記録されていることを特徴とする請求項１に記載の情報記録媒体。
【請求項３】
前記第１データは前記所定値又は前記所定値を算出するためのパラメータを示す位置情報を含むことを特徴とする請求項２に記載の情報記録媒体。
【請求項４】
前記所定の変調方式はスペクトラム拡散変調方式であることを特徴とする請求項１に記載の情報記録媒体。
【請求項５】
請求項１に記載の情報記録媒体を再生する情報再生装置において、
前記情報記録媒体に記録された前記記録マークを読取る読取手段と、
前記読取手段の出力信号に基づき、前記記録マークの長短を表す読取信号を生成する読取信号生成手段と、
前記読取信号に基づき、前記第１データを再生する第１データ再生手段と、
前記読取手段の出力信号に基づき、前記記録マークの変動位置を示すウォブル信号を生成するウォブル信号生成手段と、
前記生成されたウォブル信号から前記第２データを再生する第２データ再生手段と、
前記再生された前記第１データの先頭と前記再生された前記第２データの先頭との間の時間差またはデータ量を検出し、当該時間差またはデータ量と前記所定値に相当する時間またはデータ量とを比較し、比較結果に基づいて前記情報記録媒体の真偽を判定する真偽判定手段と、を備えることを特徴とする情報再生装置。
【請求項６】
前記真偽判定手段によって前記情報記録媒体が偽であると判定された場合、前記第１データ再生手段による前記第１データの再生を制限すると共に、前記第２再生手段による前記第２データの再生を制限するデータ再生制限手段とを備えることを特徴とする請求項５に記載の情報再生装置。
【請求項７】
前記情報記録媒体は、前記第１開始位置としての先頭から、前記第１データが順に記録された記録領域を備え、当該記録領域には、前記第１開始位置から前記所定値だけ後にずれた前記第２開始位置より前記第２データが先頭から順に記録され、前記所定値に相当する前記第２データの終了部分が前記第２開始位置の前に記録されており、
前記情報再生装置は更に、
前記第２開始位置の前に入れ替えて記録された前記第２データの終了部分を元に戻すように、前記所定値に基づいて前記再生された第２データの順序を並べ替える第２データ並替手段を備えたことを特徴とする請求項５に記載の情報再生装置。
【請求項８】
請求項１に記載の情報記録媒体を再生する情報再生方法において、
前記情報記録媒体に記録された前記記録マークを読取るステップと、
前記読取手段の出力信号に基づき、前記記録マークの長短を表す読取信号を生成するステップと、
前記読取信号に基づき、前記第１データを再生するステップと、
前記読取手段の出力信号に基づき、前記記録マークの変動位置を示すウォブル信号を生成するステップと、
前記生成されたウォブル信号から前記第２データを再生するステップと、
前記再生された前記第１データの先頭と前記再生された前記第２データの先頭との間の時間差またはデータ量を検出し、当該時間差またはデータ量と前記所定値に相当する時間またはデータ量とを比較し、比較結果に基づいて前記情報記録媒体の真偽を判定するステップと、を備えることを特徴とする情報再生方法。
【発明の詳細な説明】
【０００１】
【発明の属する技術分野】
本発明は、光ディスク等の情報記録媒体及びそこから情報を再生する技術に関する。
【０００２】
【従来の技術】
ＣＤやＤＶＤに代表される光ディスクでは、主データをピットの長短で記録している。しかし、例えば、不正コピー防止等のためのコピー制御用の情報を含む副データを記録するため、ピットによる記録容量を減少させることなく別の記録領域を確保したいという要求がある。
【０００３】
ピットの長短による方法以外の手段によって記録容量を高める方式として、ピットの位置を光ディスクの半径方向に変動させる技術が知られている。この技術は、ピットの位置を光ディスクの半径方向にウォブリングさせ、そのウォブルをスペクトラム拡散することで情報を記録するものである（例えば、特許文献１）。
【０００４】
この技術は、副データとして所定のデータを用いて、該所定のデータに同期信号を付加し、これをランダムデータでスペクトラム拡散してウォブル信号を生成し、ウォブル信号に応じて記録マークの位置をウォブリングさせる。ウォブルはスペクトラム拡散されているため、所定のデータに付与された同期信号も検出し難くなっており、その結果、所定のデータの秘匿性をある程度高めることができる。
【０００５】
【特許文献１】
特開２００３−８５８９６号公報
【０００６】
【発明が解決しようとする課題】
ところで、主データには、副データである所定のデータにおける同期信号と対応する、該主データ用の同期信号が付加されている。そして、光ディスクにおいて、所定のデータに付加された同期信号によって指示される該所定のデータの開始位置と、主データに付加された同期信号によって指示される該主データの開始位置とを一致させて、主データが記録される領域と同一の領域に、ウォブル信号に応じて記録マークの位置をウォブリングさせることにより所定のデータが記録される。
【０００７】
よって、光ディスクより、主データを再生すると共にウォブル信号を再生し、再生した主データに付加された同期信号に基づいて、再生したウォブル信号から所定のデータに付加された同期信号を検出することによって、該所定のデータの開始位置が特定される可能性がある。所定のデータの開始位置が特定されると、所定のデータが再生されてしまい、著作権等の情報に係るコピー制御用の情報の秘匿性を確保できないという問題が生じる。
【０００８】
本発明が解決しようとする課題としては、記録されたコピー制御用の情報の秘匿性を確保する情報記録媒体を提供することが一例として挙げられる。
【０００９】
【課題を解決するための手段】
請求項１に記載の発明は、第１データに応じて長短とされる記録マークが、第２データを所定の変調方式で変調して得たウォブル信号に応じて、当該記録マークの読取方向と交わる方向に変動した位置に形成された情報記録媒体において、前記第１データの先頭が記録される第１開始位置と前記第２データの先頭が記録される第２開始位置が所定値だけ離れていることを特徴とする。
【００１０】
請求項５に記載の発明は、請求項１に記載の情報記録媒体を再生する情報再生装置において、前記情報記録媒体に記録された前記記録マークを読取る読取手段と、前記読取手段の出力信号に基づき、前記記録マークの長短を表す読取信号を生成する読取信号生成手段と、前記読取信号に基づき、前記第１データを再生する第１データ再生手段と、前記読取手段の出力信号に基づき、前記記録マークの変動位置を示すウォブル信号を生成するウォブル信号生成手段と、前記生成されたウォブル信号から前記第２データを再生する第２データ再生手段と、前記再生された前記第１データの先頭と前記再生された前記第２データの先頭との間の時間差またはデータ量を検出し、当該時間差またはデータ量と前記所定値に相当する時間またはデータ量とを比較し、比較結果に基づいて前記情報記録媒体の真偽を判定する真偽判定手段と、を備えることを特徴とする。
【００１１】
請求項８に記載の発明は、請求項１に記載の情報記録媒体を再生する情報再生方法において、前記情報記録媒体に記録された前記記録マークを読取るステップと、前記読取手段の出力信号に基づき、前記記録マークの長短を表す読取信号を生成するステップと、前記読取信号に基づき、前記第１データを再生するステップと、前記読取手段の出力信号に基づき、前記記録マークの変動位置を示すウォブル信号を生成するステップと、前記生成されたウォブル信号から前記第２データを再生するステップと、前記再生された前記第１データの先頭と前記再生された前記第２データの先頭との間の時間差またはデータ量を検出し、当該時間差またはデータ量と前記所定値に相当する時間またはデータ量とを比較し、比較結果に基づいて前記情報記録媒体の真偽を判定するステップと、を備えることを特徴とする。
【００１２】
【発明の実施の形態】
以下、本発明の好適な実施の形態について説明する。本発明の一実施形態に係る情報記録媒体は、円盤状の形状をしており、例えば、ＣＤ（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などの種々の光ディスクが含まれる。
【００１３】
情報記録媒体には、周回状のトラックに沿って記録マークがピットとして形成されている。この記録マークの長短に応じて第１データが記録される。また、トラックは、これを拡大して見ると、読取方向と交わる方向に蛇行している。トラックの蛇行はウォブルと呼ばれ、ウォブル信号に応じた形状となっている。ウォブル信号は、第２データを所定の変調方式で変調を施して得られる。換言すれば、記録マークはウォブル信号に応じてその読取方向と交わる方向に変動した位置に形成されている。
【００１４】
ここで、情報記録媒体において、第１データの先頭が記録される第１開始位置と第２データの先頭が記録される第２開始位置は所定値だけ離れている。よって、情報記録媒体から再生された第１データの開始に対して、所定時間だけ遅れて、該情報記録媒体から再生された第２データは開始される。
【００１５】
例えば、第１データの先頭を指示する手がかりとして同期信号が該第１データに付加されると共に、第２データにも、該第２データの先頭を指示する手がかりとして同期信号が付加される場合、情報記録媒体から第１データを再生する際に得られた、該第１データに付加された同期信号に基づいて、第２データの開始を指示する同期信号を検出しようとしても、第１データ及び第２データの開始は一致していないため、該第２データに付加された同期信号の検出は困難となる。このように、本実施形態によれば、第２データの秘匿性を大幅に向上させることができる。特に、第２データとして、不正コピー防止等のためのコピー制御用の情報を採用する場合には、不正な複製を有効に禁止することができる。
【００１６】
また、第１開始位置としての先頭から、第１データが順に記録された記録領域を備え、この記録領域には、第１開始位置から所定値だけ後にずれた第２開始位置より第２データが先頭から順に記録され、所定値に相当する第２データの終了部分が第２開始位置の前に記録されているのが好ましい。この場合には、情報記録媒体において、第１データと第２データとは同一の記録領域に記録することが可能となる。
【００１７】
さらに、第１データは所定値又は該所定値を算出するためのパラメータを示す位置情報を含むのが好ましい。この場合、第１データに含まれる位置情報に基づいて所定値を変化させることが可能となる。よって、第２データの開始は更に特定するのが困難となり、その結果、第２データの秘匿性を更に向上させることができる。また、パラメータは、所定値を算出するための所定の関数に入力される変数であり、パラメータを所定の関数に入力することによって、所定値を算出することができる。
【００１８】
くわえて、所定の変調方式はスペクトラム拡散変調方式であるのが好ましい。このスペクトラム拡散によって、情報記録媒体からウォブル信号を再生してもノイズにしか見えないため、第２データの秘匿性をより一層向上させることができる。
【００１９】
次に、本実施形態に係る情報再生装置について説明する。この情報再生装置は、所定の情報記録媒体から第２データを再生する。当該情報記録媒体には、記録マークの長短によって第１データが記録されている。また、第２データを所定の変調方式で変調して得たウォブル信号に応じて、記録マークがその読取方向と交わる方向に変動した位置に形成されている。更に、第１データが記録された記録領域に、第１開始位置から所定値だけ後にずれた第２開始位置より第２データが先頭から順に記録され、所定値に相当する第２データの終了部分が第２開始位置の前に記録されている。
【００２０】
情報再生装置は、読取手段、ウォブル信号生成手段、第２データ再生手段、及び真偽判定手段を備える。読取手段は、情報記録媒体に記録された記録マークを読み取る。ウォブル信号生成手段は、読取手段の出力信号に基づき、記録マークの変動位置を示すウォブル信号を生成する。第２データ再生手段は、生成されたウォブル信号から第２データを再生する。この場合、ウォブル信号を所定の変調方式と対になる所定の復調方式によって復調すればよい。また、真偽判定手段は再生された第１データの先頭と再生された第２データの先頭との間の時間差またはデータ量を検出し、当該時間差またはデータ量と所定値に相当する時間またはデータ量とを比較し、比較結果に基づいて情報記録媒体の真偽を判定する。
【００２１】
この場合には、情報記録媒体において、第１開始位置と第２開始位置との間隔が所定値となっているか否かについて判定することが可能となる。そして、第１開始位置と第２開始位置との間隔が所定値となっている情報記録媒体を「真」と判定し、第１開始位置と第２開始位置との間隔が所定値となっていない情報記録媒体は「偽」と判定することができる。ここで、所定値は時間であってもよいし、データ量であってもよい。
【００２２】
更に、情報再生装置が真偽判定手段を備えている場合、該情報再生装置には、真偽判定手段によって情報記録媒体が偽であると判定された場合、第１データ再生手段による第１データの再生を制限すると共に、第２再生手段による第２データの再生を制限するデータ再生制限手段が設けられているのが好ましい。
【００２３】
この場合には、第１データ及び第２データの再生を制限するために、該第１データ及び第２データの再生を停止することにより、「偽」と判定された情報記録媒体の再生を有効に禁止することが可能となる。
【００２４】
さらに、情報記録媒体が、前記第１開始位置としての先頭から、前記第１データが順に記録された記録領域を備え、当該記録領域には、前記第１開始位置から前記所定値だけ後にずれた前記第２開始位置より前記第２データが先頭から順に記録され、前記所定値に相当する前記第２データの終了部分が前記第２開始位置の前に記録されている場合、情報再生装置は第２データ並替手段を備えることが好ましい。第２データ並替手段は、第２開始位置の前に入れ替えて記録された前記第２データの終了部分を元に戻すように、前記所定値に基づいて前記再生された第２データの順序を並べ替える。この情報再生装置によれば、記録時に第２開始位置の前に入れ替えて記録された第２データの終了部分を元に戻すことにより、該第２データの順序を元の順序に並べ替えて再生することが可能となる。
【００２５】
【実施例】
次に、本発明の好適な実施例について、図面を参照して説明する。
＜１．第１実施例＞
＜１−１：光ディスクの基本構成＞
本実施例では、情報記録媒体としてＤＶＤを一例として取り上げて説明するが、本発明はこれに限定されるものではないことは勿論である。図１に光ディスク１に形成されるトラックを示す。光ディスク１には、周回状のトラックに沿って記録マークがピットＰとして形成されている。この記録マークの長短に応じてピットデータＤＰが記録される。また、トラックは、これを拡大して見ると、読取方向と交わる方向に蛇行している。トラックの蛇行はウォブルと呼ばれ、ウォブル信号ＷＢに応じた形状となっている。ウォブル信号ＷＢは、ウォブルデータＤＷに基づいて生成される。即ち、この光ディスク１にはピットデータＤＰの他に記録マークの蛇行によってウォブルデータＤＷが重畳的に記録されている。ピットデータＤＰは画像や音声などの情報を有し、ウォブルデータＤＷはコピー情報等の著作権の管理情報を有する。
【００２６】
後述するようにピットデータＤＰには、エラー訂正コードＥＣＣｐ及びピット同期信号ＳＹＮＣｐが付加されて記録ピットデータＤＰａが生成される。一方、ウォブルデータＤＷには、エラー訂正コードＥＣＣｗ及びウォブル同期信号ＳＹＮＣｗが付加されて記録ウォブルデータＤＷａが生成される。そして、記録マークの長短は記録ピットデータＤＰａによって定まり、ウォブルの形状は記録ウォブルデータＤＷａによって定まる。
【００２７】
図２に、記録ピットデータＤＰａ及び記録ウォブルデータＤＷａのデータフォーマットを示す。本実施例では、エラー訂正コードＥＣＣｐが付加されるピットデータＤＰのデータ単位をＥＣＣブロックという。図２に示すように、１個のＥＣＣブロックは１６個のセクターを含み、１個のセクターは２６個の同期フレームを含む。そして、同期フレームの先頭にピット同期信号ＳＹＮＣｐが配置される。
【００２８】
そして、記録ピットデータＤＰａの１セクターを記録する時間に、記録ウォブルデータＤＷａの１セクターが記録される。記録ウォブルデータＤＷａの１セクターは先頭には３バイトのウォブル同期信号ＳＹＮＣｗが配置され、これに続いて、３×２５バイトのウォブルデータＤＷが配置される。
【００２９】
記録ピットデータＤＰａにおいてピット同期信号ＳＹＮＣｐはピットデータＤＰの開始を指示し、記録ウォブルデータＤＷａにおいてウォブル同期信号ＳＹＮＣｗはウォブルデータＤＷの開始を指示する。本実施例では、ピット同期信号ＳＹＮＣｐに対してウォブル同期信号ＳＹＮＣｗが所定時間遅れて記録されるようになっている。すなわち、光ディスク１においてピットデータＤＰの先頭とウォブルデータＤＷの先頭は、同じ位置から開始するわけではなく、所定距離だけずれている。このように、ピットデータＤＰとウォブルデータＤＷとを所定の間隔をおいて記録し、両者の位相をずらしたのは以下の理由による。
【００３０】
ウォブルデータＤＷは著作権管理情報を有する。従って、これによって、当該光ディスク１が正当な著作権の管理の下に複製された真正品であることが判別可能である。ウォブルデータＤＷは高いセキュリティの下に管理する必要があるところ、仮に、ピットデータＤＰの開始とウォブルデータＤＷの開始とを一致させると、ピット同期信号ＳＹＮＣｐを検出することによって容易にウォブルデータＤＷの開始が特定されてしまう。そこで、本実施例においては、ピットデータＤＰとウォブルデータＤＷとを所定の間隔をおいて記録することにより、ウォブルデータＤＷの開始が特定され難くして、ウォブルデータＤＷの秘匿性を向上させている。
【００３１】
＜１−２：マスタリング装置の全体構成＞
図３は、マスタリング装置の全体構成を示すブロック図である。マスタリング装置１００は、光ディスクのディスク原盤ＤＳを作成するための装置であり、記録ユニット２、ディスク原盤ＤＳを回転させるスピンドルモータ３及びサーボユニット４を備える。ディスク原盤ＤＳは、例えば、フォトレジストを塗布したガラス原盤として構成される。記録ユニット２は、レーザー光を照射するレーザーダイオード、レーザー光をディスク原盤ＤＳに集光させる光学系、レーザーダイオード及び光学系を一体として、ディスク原盤ＤＳの半径方向に移動させるスライダー装置を備える。レーザーダイオードは、ドライバ１５から供給される駆動信号に応じたパワーのレーザー光を発光する。スライダー装置はサーボユニット４からの制御信号に従って、光学系及びレーザーダイオードをディスク原盤ＤＳの半径方向に移動させる。
【００３２】
サーボユニット４には、第１クロック信号ＣＫ１及びピット同期信号ＳＹＮＣｐが供給される。サーボユニット４は、これらの信号に同期して、スピンドルモータ３の回転を制御するスピンドルサーボ、レーザー光のフォーカスを制御するフォーカスサーボ及びスライダー装置を制御するスライドサーボを実行する。このうち、スライドサーボでは、螺旋状のトラックを形成するための信号にウォブル信号ＷＢを加算して制御信号が生成され、この制御信号によってスライダー装置が制御される。
【００３３】
第１クロック信号ＣＫ１は第１クロック信号発生回路２１によって生成される。この例において、第１クロック信号ＣＫ１の周波数は１０．５ＭＨｚである。第１クロック信号ＣＫ１はピットデータＤＰの時間基準となる。また、分周回路２２は、第１クロック信号ＣＫ１を分周して第２クロック信号ＣＫ２等を生成する。第２クロック信号ＣＫ２の周波数は４２０ＫＨｚであり、ウォブル信号ＷＢの生成に用いられ、その時間基準となる。
【００３４】
マスタリング装置１００には、外部機器から入力データＤｉｎが供給される。入力データＤｉｎはインターフェース１０を介してバッファ１１に取り込まれる。バッファ１１に取り込まれた入力データＤｉｎは、ＣＰＵの制御の下、ピットデータＤＰと、ウォブルデータＤＷとに分割され、ピットデータメモリ１２とウォブルデータメモリ１６とに各々転送される。
【００３５】
ＣＰＵは、ピットデータメモリ１２からピットデータＤＰを読み出してＥＣＣ生成回路１３に供給する。ＥＣＣ生成回路１３はピットデータＤＰのデータ順を予め定められた規則に従って並べ替えるスクランブル処理を施した後、エラー訂正コードＥＣＣｐを生成してこれに付加する。ＤＶＤ変調回路１４は、ＥＣＣ生成回路１３の出力データに変調を施したピットデータＤＰを生成する。このピットデータＤＰには、ＳＹＮＣタイミング生成回路２３で生成されたピット同期信号ＳＹＮＣｐが付加される。このようにして得られたピットデータＤＰを以下の説明では記録ピットデータＤＰａと称する。
【００３６】
一方、ウォブルデータメモリ１６に記憶されたウォブルデータＤＷは、ＣＰＵの制御の下、そこから読み出されてＥＣＣ生成回路１７に供給される。ＥＣＣ生成回路１７は、ＣＰＵの制御の下、ウォブルデータＤＷのデータ順を並べ替えるスクランブル処理を施した後、ウォブルデータＤＷに基づいて生成したエラー訂正コードＥＣＣｗ及びＳＹＮＣタイミング生成回路２３で生成されたウォブル同期信号ＳＹＮＣｗを付加して、記録ウォブルデータＤＷａを生成する。
【００３７】
ＣＰＵは、ディスク原盤ＤＳにおいて、ピットデータＤＰに対してウォブルデータＤＷが所定の間隔をおいて記録されるように、ＳＹＮＣタイミング生成回路２３の動作に対して制御を行う。ＣＰＵは、ピット同期信号ＳＹＮＣｐの時間的な開始位置を基準としてウォブル同期信号ＳＹＮＣｗが所定時間遅れるように両者の時間関係を定める。ＳＹＮＣタイミング生成回路２３は、ＣＰＵが決定したピット同期信号ＳＹＮＣｐとウォブル同期信号ＳＹＮＣｗとの時間関係に基づいて、ピット同期信号ＳＹＮＣｐ及びウォブル同期信号ＳＹＮＣｗを生成する。ＥＣＣ生成回路１７は、ＳＹＮＣタイミング生成回路２３がウォブル同期信号ＳＹＮＣｗを生成するタイミングに基づいて、該ウォブル同期信号ＳＹＮＣｗを付加して、記録ウォブルデータＤＷａを生成する。尚、ＤＶＤ変調回路１４も、ＳＹＮＣタイミング生成回路２３がピット同期信号ＳＹＮＣｐを生成するタイミングに基づいて、該ピット同期信号ＳＹＮＣｐを付加して記録ピットデータＤＰａを生成する。
【００３８】
ＲＡＮＤテーブル１８にはスペクトラム拡散に用いられるランダム化パターンが記憶されている。ランダム化パターンは拡散符号に相当し、ランダム関数を用いて生成されるビット列である。ＲＡＮＤテーブル１８には第２クロック信号ＣＫ２が供給され、第２クロック信号ＣＫ２に同期してランダム化パターンが読み出され、ランダムデータＲＮＤとしてスペクトラム拡散変調回路１９に供給される。スペクトラム拡散変調回路１９は、記録ウォブルデータＤＷａとランダムデータＲＮＤとを乗算してスペクトラム拡散データＳＳを生成する。スペクトラム拡散変調回路１９は、例えば、イクスシブルオア回路ＸＯＲによって構成することができる。
【００３９】
ウォブル信号生成回路２０は、スペクトラム拡散データＳＳに帯域制限を施してウォブル信号ＷＢを生成する。この場合、ウォブル信号生成回路２０は、例えば、バンドパスフィルタやローパスフィルタによって構成することができる。
【００４０】
マスタリング装置１００によって記録マークが形成されたディスク原盤ＤＳは、現像され、レジスト原盤となる。この後、レジスト原盤を基にメッキを行う電鋳プロセスを経て、メタルマスタを１枚作成し、１枚のメタルマスタから複数枚のマザーを作成する。さらに、複数枚のマザーから複数枚のスタンパを作成する。このスタンパを用いてプラスッチック等の樹脂をプレス加工することによって光ディスク１が製造される。
【００４１】
＜１−３．情報再生装置＞
次に、情報再生装置について説明する。図４は情報再生装置２００の全体構成を示すブロック図である。
【００４２】
情報再生装置２００は、情報記録媒体である光ディスク１に対して再生ビームを照射するとともに反射光に応じた信号を出力する光ピックアップ２０２と、光ディスク１の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１に対する相対的位置制御であるフォーカスサーボ及びトラッキングサーボを実行する。
【００４３】
光ピックアップ２０２は、再生ビームを照射するレーザダイオード、４分割検出回路を備える（図示略）。４分割検出回路は、再生ビームの反射光を図２に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。光ピックアップ２及びヘッドアンプ４は上述した読取手段に相当する。
【００４４】
総和生成回路２１０は読取信号生成手段に相当し、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号であり、上述した読取信号に相当する。
【００４５】
ピットデータ復調回路２１１は、総和読取信号ＳＲＦに基づいて記録ピットデータＤＰａを再生すると共に第１クロック信号ＣＫ１を生成する。ピットデータ復調回路２１１は、上述した第１データ再生手段に相当する。図５は、ピットデータ復調回路２１１の構成を示すブロック図である。この図に示すようにピットデータ復調回路２１１は、第１クロック信号再生回路３１、ピットデータ抜出回路３２、同期信号検出回路３３、ピットデータ復調回路３４、及びデスクランブル回路３５を備える。
【００４６】
第１クロック信号再生回路３１は、総和読取信号ＳＲＦに基づいて記録ピットデータＤＰａに同期した第１クロック信号ＣＫ１を再生する。ピットデータ抜出回路３２は、総和読取信号ＳＲＦを２値化して得た２値化信号を第１クロック信号ＣＫ１でサンプリングして、記録ピットデータＤＰａを再生する。
【００４７】
同期信号検出回路３３は、再生された記録ピットデータＤＰａに含まれる同期パターンを検出し、ピット同期信号ＳＹＮＣｐを生成する。同期パターンは、他のピットデータに含まれていない特定のデータパターンであって、一定の周期を有する。ピット同期信号ＳＹＮＣｐは、同期パターンのタイミングを指示する信号である。
【００４８】
ピットデータ復調回路３４は、ピット同期信号ＳＹＮＣｐを基準位置として、再生された記録ピットデータＤＰａを所定のテーブルを用いて復調して再生データを生成する。例えば、変調方式としてＥＦＭ変調が採用される場合には、１４ビットの記録ピットデータＤＰａを８ビットの再生データに変換する処理が施される。デスクランブル回路３５は再生データの順序を予め定められた規則に従って並べ換えるデスクランブル処理を実行し、処理済の再生データを出力する。
【００４９】
このようにして得られた再生データは、図４に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。
【００５０】
図４に戻り、説明を続ける。プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。
【００５１】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時において第２データＤ２をスペクトラム拡散変調して得たウォブル信号ＷＢをプッシュプル信号から抽出できるように設定されている。従って、バンドパスフィルタ２２３は、プッシュプル信号生成回路２２０と共に、上述したウォブル信号生成手段を構成し、その出力信号は、光ディスク１からウォブル信号ＷＢを再生したものとなる。
【００５２】
図６にウォブル信号ＷＢ、２値化信号Ａ、第１クロック信号ＣＫ１、第２クロック信号ＣＫ２、及びピット同期信号ＳＹＮＣｐのタイミングチャートを示す。コンパレータ２２４は、ウォブル信号ＷＢを２値化した２値化信号Ａを出力する。ウォブル信号ＷＢは、周波数が低いので、ゼロクロス付近において波形の傾きが緩やかである。このため、２値化信号Ａは大きなジッタ成分を有する。サンプリング回路２２５は、第２クロック信号ＣＫ２を用いて２値化信号Ａをサンプリングして、データを抜き出してスペクトラム拡散データＳＳを再生する。
【００５３】
この例では、第１クロック信号ＣＫ１の周波数ｆ１が１０．５ＭＨｚであり、第２クロック信号ＣＫ２の周波数ｆ２が４２０ＫＨｚであるため、分周回路２２６は、第１クロック信号ＣＫ１を１／２５分周して第２クロック信号ＣＫ２を生成する。従って、図６に示すように第２クロック信号ＣＫ２の一周期の中に２５個の第１クロック信号ＣＫ１が入る。また、分周回路２２６は、リセット端子Ｒの電圧がアクティブ（ローレベル）になると、リセットされるようになっており、このリセット端子Ｒにはピット同期信号ＳＹＮＣｐが供給される。従って、第２クロック信号ＣＫ２は、ピット同期信号ＳＹＮＣｐの立下りによってリセットされ、その位相がピット同期信号ＳＹＮＣｐによって定まる。
【００５４】
記録ピットデータＤＰａには、２５＊Ｋ（Ｋは自然数）ビットの周期で同期パターンが挿入されており、同期パターンの開始と第２クロック信号ＣＫ２の立ち上りエッジが一致する関係にある。即ち、同期パターンは第２クロック信号ＣＫ２の自然数倍の周期を有する。この場合、図６に示すタイミングでピット同期信号ＳＹＮＣｐがアクティブとなると、分周回路２２６がリセットされ、ピット同期信号ＳＹＮＣｐと第２クロック信号ＣＫ２の位相が調整される。これによって、第２クロック信号ＣＫ２の立ち上がりエッジの発生タイミングを、より周波数の高い第１クロック信号ＣＫ１によって調整することができる。従って、２値化信号Ａのエッジがジッタの影響を受けて揺らいでも、確実にスペクトラム拡散データＳＳを抜き出すことが可能となる。
【００５５】
図４に戻り、説明を続ける。ＲＡＮＤテーブル２２７には、記録時のスペクトラム拡散変調に用いたランダム化パターンが記憶されている。ランダム化パターンは拡散符号に相当し、ランダム関数を用いて生成されるビット列である。ＲＡＮＤテーブル２２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散復調回路２２８に供給される。また、サンプリング回路２２５から出力されるスペクトラム拡散データＳＳはスペクトラム拡散復調回路２２８に供給される。スペクトラム拡散データＳＳとランダムデータＲＮＤを掛け算して、記録ウォブルデータＤＷａを再生する。この際、元々の信号帯域でない信号は、掛け算によって帯域外の信号に変換される。尚、コンパレータ２２４、サンプリング回路２２５、分周回路２２６、ＲＡＮＤテーブル２２７、及びスペクトラム拡散復調回路２２８によって、上述した第２データ再生手段が構成される。
【００５６】
また、ウォブル同期信号検出回路２３０は、再生された記録ウォブルデータＤＷａよりウォブル同期信号ＳＹＮＣｗを検出し、検出したウォブル同期信号ＳＹＮＣｗを順次出力する。
【００５７】
位相検出回路２３１には、ピットデータ復調回路２１１よりピット同期信号ＳＹＮＣｐが順次供給される。位相検出回路３０３は、順次供給されるピット同期信号ＳＹＮＣｐ、及びウォブル同期信号検出回路３０２より順次出力されるウォブル同期信号ＳＹＮＣｗに基づいて、再生されたピットデータＤＰ及び再生されたウォブルデータＤＷの時間関係を検出する。
【００５８】
ＣＰＵには、予め、記録時におけるピットデータＤＰ及びウォブルデータＤＷの時間関係が設定されている。そして、ＣＰＵは、位相検出回路２３１によって検出された再生されたピットデータＤＰ及び再生されたウォブルデータＤＷの時間関係と記録時におけるピットデータＤＰ及びウォブルデータＤＷの時間関係とを比較し、両者が一致する場合は「真」と判定し、両者が不一致の場合に「偽」と判定する。ここで、時間関係には、データ量の概念が含まれる。例えば、記録時におけるピットデータＤＰの先頭からウォブルデータＤＷの先頭までのバイト数を所定値として記憶しており、再生時に所定値と比較することによって、真偽を判定することができる。そして、ＣＰＵは、「真」と判定した場合には、光ディスク１の再生を許容する。この場合、記録ウォブルデータＤＷａはエラー訂正回路２２９に供給され、エラー訂正が施された後、出力される。一方、「偽」と判定した場合には、光ディスク１の再生を停止して、当該光ディスク１を装置から排出するようにローディング機構を制御する。これにより、不正にコピーされた光ディスク１の再生を有効に禁止することができる。
【００５９】
尚、上述した真偽判定手段は、ウォブル同期信号検出回路２３０、位相検出回路２３１、及びＣＰＵに相当し、更に、ＣＰＵは上述したデータ再生制限手段にも相当する。
【００６０】
＜２．第２実施例＞
＜２−１：光ディスクの基本構成＞
第２実施例において、光ディスクには、図１に示す光ディスク１の構成と同様記録マークの長短によってピットデータＤＰが記録される一方、これとは別に記録マークの蛇行によってウォブルデータＤＷが重畳的に記録されている。また、図１を参照して説明したように、記録マークの長短は記録ピットデータＤＰａによって定まり、ウォブルの形状は記録ウォブルデータＤＷａによって定まる。尚、ピットデータＤＰは画像や音声などの情報を有し、ウォブルデータＤＷはコピー情報等の著作権の管理情報を有する。
【００６１】
図７に、記録ピットデータＤＰａ及び記録ウォブルデータＤＷａのデータフォーマットを示す。第２実施例では、記録ピットデータＤＰａの構成は図２に示す記録ピットデータＤＰａの構成と同様であり、記録ウォブルデータＤＷａの詳細な構成が図２に示す記録ウォブルデータＤＷａと異なっている。
【００６２】
第１実施例では、図２を参照して説明したように、光ディスク１においてピットデータＤＰの先頭とウォブルデータＤＷの先頭は、同じ位置から開始するわけではなく、所定距離だけずれているため、記録ウォブルデータＤＷａの終了位置も、記録ピットデータＤＰａの終了位置から所定距離だけずれている。第２実施例では、図７に示すように、光ディスク１において、記録ウォブルデータＤＷａの、記録ピットデータＤＰａの終了位置に相当する位置から、当該記録ウォブルデータＤＷａの終了位置までの間の所定距離内に記録された記録ウォブルデータＤＷａの一部を、当該記録ウォブルデータＤＷａの先頭に配置することによって、記録ウォブルデータＤＷａと記録ピットデータＤＰａは同一領域に記録される。
【００６３】
即ち、第２実施例では、第１実施例と同様、光ディスク１において、ピットデータＤＰの真の先頭位置とウォブルデータＤＷの真の先頭位置は所定距離だけずれているが、ピットデータＤＰの真の先頭位置に対して、ウォブルデータＤＷの見かけ上の先頭位置は同じ位置となり、ピットデータＤＰの真の終了位置に対して、ウォブルデータＤＷの見かけ上の終了位置も同じ位置となる。よって、第２実施例においても、第１実施例と同様、ピットデータＤＰとウォブルデータＤＷとを所定の間隔をおいて記録されるため、ウォブルデータＤＷの開始が特定され難くして、ウォブルデータＤＷの秘匿性を向上させることが可能となる。
【００６４】
＜２−２：マスタリング装置の全体構成＞
第２実施例におけるマスタリング装置の構成は、図３に示す、第１実施例におけるマスタリング装置１００の構成と同様である。よって、第２実施例におけるマスタリング装置について、図３を参照して、第１実施例と異なる点についてのみ説明する。
【００６５】
ＥＣＣ生成回路１７は、第１実施例と同様、ＳＹＮＣタイミング生成回路２３がウォブル同期信号ＳＹＮＣｗを生成するタイミングに基づいて、該ウォブル同期信号ＳＹＮＣｗを付加する。また、ＥＣＣ生成回路１７は、ＣＰＵが決定したピット同期信号ＳＹＮＣｐとウォブル同期信号ＳＹＮＣｗとの時間関係に基づいて、ピットデータＤＰの時間的な終了位置に相当するウォブルデータＤＷの時間的な位置から、該ウォブルデータＤＷの時間的な終了位置までの間の当該ウォブルデータＤＷの一部分を、ウォブルデータＤＷの先頭に配置して、記録ウォブルデータＤＷａを生成する。
【００６６】
＜２−３．情報再生装置＞
第２実施例における情報装置の構成は、図４に示す、第１実施例における情報再生装置２００の構成と概ね同様である。よって、第２実施例における情報再生装置について、図４を参照して、第１実施例と異なる点についてのみ説明する。
【００６７】
エラー訂正回路２２９は図４に図示しないメモリを備えており、該エラー訂正回路２２９に供給された記録ウォブルデータＤＷａは、該メモリに蓄積される。エラー訂正回路２２９は、ＣＰＵに設定された、記録時におけるピットデータＤＰ及びウォブルデータＤＷの時間関係に基づいて、記録時にウォブルデータＤＷの先頭に配置された、該ウォブルデータＤＷの一部を、該ウォブルデータの元の位置、即ちピットデータＤＰの終了位置に相当する該ウォブルデータＤＷの位置から該ウォブルデータＤＷの終了位置までの間に戻すことにより、記録ウォブルデータＤＷａの順序を並べ替えて再生する。尚、第２実施例において、エラー訂正回路２２９は上述した第２データ並替手段に相当する。
【００６８】
＜３．第３実施例＞
＜３−１：光ディスクの基本構成＞
第３実施例における光ディスクには、第２実施例と同様、記録マークの長短によってピットデータＤＰが記録される一方、これとは別に記録マークの蛇行によってウォブルデータＤＷが重畳的に記録されている。そして、記録マークの長短は記録ピットデータＤＰａによって定まり、ウォブルの形状は記録ウォブルデータＤＷａによって定まる。
【００６９】
図８に、記録ピットデータＤＰａ及び記録ウォブルデータＤＷａのデータフォーマットを示す。第３実施例における、記録ピットデータＤＰａ及び記録ウォブルデータＤＷａのデータフォーマットの主要部は、図７に示す第２実施例における記録ピットデータＤＰａ及び記録ウォブルデータＤＷａのデータフォーマットとほぼ同様である。
【００７０】
第３実施例では、記録ピットデータＤＰａに含まれる一個の同期フレームはマーカー部として構成され、該マーカー部には、各トラックのアドレス等示するアドレス値が含まれる。そして、光ディスク１におけるピットデータＤＰの先頭位置に対するウォブルデータＤＷの先頭位置のずれ量を指示する、ピットデータＤＰ及びウォブルデータＤＷの時間関係は、記録ピットデータＤＰａにおけるマーカー部のアドレス値を用いて規定される。具体的には、アドレス値を所定の関数に入力して得た出力値をずれ量として用いる。この場合、アドレス値は上述したパラメータに相当する。
【００７１】
アドレス値は光ディスク１におけるトラックの位置を指示するものであるから、ピットデータＤＰの記録位置によって変化する。従って、第３実施例によれば、ピットデータＤＰ及びウォブルデータＤＷの時間関係を、アドレス値に基づいて、変化させることが可能となる。
【００７２】
よって、第３実施例では、ピットデータＤＰ及びウォブルデータＤＷを、両者の時間関係を可変とすることによって記録するため、第１実施例及び第２実施例と比較して、ウォブルデータＤＷの開始がより特定され難くなり、その結果、ウォブルデータＤＷの秘匿性を更に向上させることができる。
【００７３】
＜３−２：マスタリング装置の全体構成＞
第３実施例におけるマスタリング装置の構成は、第２実施例におけるマスタリング装置の構成と同様である。よって、第３実施例におけるマスタリング装置について、第２実施例と同様、図３を参照して第２実施例と異なる点についてのみ説明する。
【００７４】
ＣＰＵは、ピットデータＤＰにおけるマーカー部のアドレス値及び所定関数を用いて、ピットデータＤＰ及びウォブルデータＤＷの時間関係を定める。そして、ＳＹＮＣタイミング生成回路２３は、第２実施例と同様に、ＣＰＵが決定したピット同期信号ＳＹＮＣｐとウォブル同期信号ＳＹＮＣｗとの時間関係に基づいて、ピット同期信号ＳＹＮＣｐ及びウォブル同期信号ＳＹＮＣｗを生成する。
【００７５】
＜３−３．情報再生装置＞
次に、情報再生装置について説明する。第３実施例における情報再生装置の構成は、第２実施例における情報再生装置の構成と概ね同様である。よって、第３実施例における情報再生装置について、第２実施例と同様、図４を参照して第２実施例と異なる点についてのみ説明する。
【００７６】
第３実施例では、ピットデータ訂正回路２１２から、記録ピットデータＤＰａのマーカー部のアドレス値が出力される。ＣＰＵは、再生されたアドレス値を用いて、記録時に用いた所定関数により、記録時におけるピットデータＤＰ及びウォブルデータＤＷの時間関係を求めるようにしてもよい。そして、第２実施例と同様に、エラー訂正回路２２９によって、記録ウォブルデータＤＷａの順序の並べ替えが行われることにより、記録ウォブルデータＤＷａが再生される。
【００７７】
尚、以上説明した第３実施例では、ピットデータＤＰａに、光ディスク１におけるピットデータＤＰの先頭位置に対するウォブルデータＤＷの先頭位置のずれ量を指示する位置情報を含むようにしてもよい。この場合、マスタリング装置において、ウォブルデータＤＷの記録時、ＣＰＵは、ピットデータＤＰに含まれる位置情報に基づいて、ＳＹＮＣタイミング生成回路２３の動作の制御を行う。また、情報再生装置において、ウォブルデータＤＷの再生時、ＣＰＵは、再生されたピットデータＤＰに含まれるピットデータＤＰ及びウォブルデータＤＷの時間関係に基づいて、エラー訂正回路２２９の動作の制御を行う。
【図面の簡単な説明】
【図１】ディスク原盤ＤＳに形成されるトラックを示す説明図である。
【図２】本発明の第１実施例に係る記録ピットデータＤＰａ及び記録ウォブルデータＤＷａのデータフォーマットを示す説明図である。
【図３】本発明の第１実施例に係るマスタリング装置１００の全体構成を示すブロック図である。
【図４】本発明の第１実施例に係る情報再生装置２００の全体構成を示すブロック図である。
【図５】ピットデータ復調回路２１１の構成を示すブロック図である。
【図６】ウォブル信号ＷＢ、２値化信号Ａ、第１クロック信号ＣＫ１、第２クロック信号ＣＫ２、及びピット同期信号ＳＹＮＣｐのタイミングチャートである。
【図７】本発明の第２実施例に係る記録ピットデータＤＰａ及び記録ウォブルデータＤＷａのデータフォーマットを示す説明図である。
【図８】本発明の第３実施例に係る記録ピットデータＤＰａ及び記録ウォブルデータＤＷａのデータフォーマットを示す説明図である。
【符号の説明】
１  光ディスク
１７  ＥＣＣ生成回路
１００  マスタリング装置
２００  情報再生装置
２２７  ＲＡＮＤテーブル
２２８  スペクトラム拡散復調回路
２３０  ウォブル同期信号検出回路
２３１  位相検出回路
ＤＷａ  記録ウォブルデータ
ＳＳ  スペクトラム拡散データ
ＣＫ１  第１クロック信号
ＣＫ２  第２クロック信号
【図１】
2005025862.tif 000003
【図２】
2005025862.tif 000004
【図３】
2005025862.tif 000005
【図４】
2005025862.tif 000006
【図５】
2005025862.tif 000007
【図６】
2005025862.tif 000008
【図７】
2005025862.tif 000009
【図８】
2005025862.tif 000010